(57)【要約】【課題】濾過器、濃縮器の洗浄という点のみならず、有用物質の回収という点でも性能を向上させる。【解決手段】細胞成分を含む原液を貯留する原液貯留容器１００と、原液中の細胞成分を分離可能な濾過器１と、溶液を濃縮液と廃液に分離可能な濃縮器２と、濃縮液を回収する濃縮液回収容器１０２と、濾過器１と濃縮器２を洗浄する洗浄液を貯留する洗浄液貯留容器１０３と、原液貯留容器１００と濾過器１を接続する原液供給流路１０と、濾過器１と濃縮器２を接続する濾液流路１１と、濃縮器２と濃縮液回収容器１０２を接続する濃縮液回収流路１２と、濃縮器２に接続される廃液流路１３と、濃縮器２に洗浄液貯留容器１０３を接続する洗浄液供給流路１４と、濃縮液回収流路１２の流量を制御する回収流量制御手段３２と、廃液流路１３の流量を制御する廃液流量制御手段３３と、洗浄液供給流路１４の流量を制御する洗浄液流量制御手段３４と、を備えている。【選択図】図１
2015126763.tif 000002
【特許請求の範囲】
【請求項１】
細胞成分を含む原液を貯留する原液貯留容器（１００）と、
前記原液中の前記細胞成分を分離可能な濾過器（１）と、
任意の溶液を濾過濃縮により濃縮液と廃液に分離可能な濃縮器（２）と、
前記濃縮液を回収する濃縮液回収容器（１０２）と、
前記濾過器と前記濃縮器を洗浄する洗浄液を貯留する洗浄液貯留容器（１０３）と、
前記原液貯留容器の出口と、前記濾過器の入口を接続する原液供給流路（１０）と、
前記濾過器の濾液出口と、前記濃縮器の入口を接続する濾液流路（１１）と、
前記濃縮器の濃縮液出口と、前記濃縮液回収容器を接続する濃縮液回収流路（１２）と、
前記濃縮器の濾液出口に接続される廃液流路（１３）と、
前記濃縮器の濾液出口に連通する前記洗浄液貯留容器（１０３）を接続する洗浄液供給流路（１４）と、
前記濃縮液回収流路（１２）の流量を制御する回収流量制御手段（３２）と、
前記廃液流路（１３）の流量を制御する廃液流量制御手段（３３）と、
前記洗浄液供給流路（１４）の流量を制御する洗浄液流量制御手段（３４）と、
を備えた腹水濾過濃縮システム。
【請求項２】
請求項１に記載の腹水濾過濃縮システムにおいて、
前記回収流量制御手段（３２）は、前記濃縮液回収流路（１２）を閉塞し、
前記廃液流量制御手段（３３）は、前記廃液流路（１３）を閉塞し、
前記洗浄液流量制御手段（３４）は、前記洗浄液供給流路（１４）を開放し、
前記洗浄液貯留容器（１０３）内の洗浄液により前記濾過器（１）及び前記濃縮器（２）を洗浄する腹水濾過濃縮システム。
【請求項３】
請求項１に記載の腹水濾過濃縮システムにおいて、
前記濾過器（１）の原液入口に連通する洗浄液廃液流路（１５）と、
前記原液供給流路（１０）の流量を制御する原液供給流量制御手段（３０）と、
前記洗浄液廃液流路（１５）の流量を制御する洗浄液廃液流量制御手段（３５）と、をさらに備える腹水濾過濃縮システム。
【請求項４】
請求項３に記載の腹水濾過濃縮システムにおいて、
前記回収流量制御手段（３２）は、前記濃縮液回収流路（１２）を閉塞し、
前記廃液流量制御手段（３３）は、前記廃液流路（１３）を閉塞し、
前記洗浄液流量制御手段（３４）は、前記洗浄液供給流路（１４）を開放し、
前記原液供給流量制御手段（３０）は、前記原液供給流路（１０）を開放し、
前記洗浄液廃液流量制御手段（３５）は、前記洗浄液廃液流路（１５）を閉塞し、
前記洗浄液貯留容器（１０３）内の洗浄液により前記濾過器（１）と前記濃縮器（２）を洗浄し、当該洗浄液を前記原液供給流路（１０）へ流通させる腹水濾過濃縮システム。
【請求項５】
請求項３に記載の腹水濾過濃縮システムにおいて、
前記回収流量制御手段（３２）は、前記濃縮液回収流路（１２）を閉塞し、
前記廃液流量制御手段（３３）は、前記廃液流路（１３）を閉塞し、
前記洗浄液流量制御手段（３４）は、前記洗浄液供給流路（１４）を開放し、
前記洗浄液廃液流量制御手段（３５）は、前記洗浄液廃液流路（１５）を開放し、
前記原液供給流量制御手段（３０）は、前記原液供給流路（１０）を閉塞し、
前記洗浄液貯留容器（１０３）内の洗浄液により前記濾過器（１）と前記濃縮器（２）を洗浄し、当該洗浄液を前記洗浄液廃液流路（１５）へ流通させる腹水濾過濃縮システム。
【請求項６】
請求項１に記載の腹水濾過濃縮システムにおいて、
前記濾液流路（１１）と前記濃縮液回収容器（１０２）を接続する再循環流路（１６）と、
前記再循環流路の流量を制御する再循環流量制御手段（３６）と、
前記濾液流路（１１）の流量を制御し、前記濾液流路（１１）と前記再循環流路（１６）との接続点（４０）よりも前記濾過器（１）側に位置する濾過流量制御手段（３１）と、
をさらに備える腹水濾過濃縮システム。
【請求項７】
請求項６に記載の腹水濾過濃縮システムにおいて、
前記回収流量制御手段（３２）は、前記濃縮液回収流路（１２）を閉塞し、
前記廃液流量制御手段（３３）は、前記廃液流路（１３）を閉塞し、
前記洗浄液流量制御手段（３４）は、前記洗浄液供給流路（１４）を開放し、
前記再循環流量制御手段（３６）は、再循環流路（１６）を開放し、
前記濾過流量制御手段（３１）は、前記濾液流路（１１）のうち前記接続点（４０）よりも前記濾過器（１）寄りの流路を閉塞し、
前記洗浄液貯留容器（１０３）内の洗浄液により前記濃縮器（２）を洗浄し、前記再循環流路（１６）に流通させる腹水濾過濃縮システム。
【請求項８】
請求項６に記載の腹水濾過濃縮システムにおいて、
前記回収流量制御手段（３２）は、前記濃縮液回収流路（１２）を閉塞し、
前記廃液流量制御手段（３３）は、前記廃液流路（１３）を閉塞し、
前記洗浄液流量制御手段（３４）は、前記洗浄液供給流路（１４）を開放し、
前記再循環流量制御手段（３６）は、再循環流路（１６）を閉塞し、
前記濾過流量制御手段（３１）は、前記濾液流路（１１）を開放し、
前記洗浄液貯留容器（１０３）内の洗浄液により前記濃縮器（２）を洗浄し、前記再循環流路（１６）に流通させると共に、前記濾過器（１）を洗浄し、当該洗浄液を前記原液供給流路（１０）に流通させる腹水濾過濃縮システム。
【請求項９】
請求項７に記載の腹水濾過濃縮システムにおいて、
前記回収流量制御手段（３２）及び前記廃液流量制御手段（３３）にて前記濃縮液回収流路（１２）および前記廃液流路（１３）を閉塞し、
前記洗浄液流量制御手段（３４）にて前記洗浄液流路（１４）に洗浄液を流し、
前記洗浄液貯留容器（１０３）内の洗浄液により前記濃縮器（２）を洗浄し、当該洗浄液を前記再循環流路（１６）に流通させ、
その後、前記再循環流量制御手段（３６）にて前記再循環流路（１６）を閉塞し、前記濾過流量制御手段（３１）にて前記濾液流路（１１）のうち前記接続点（４０）よりも前記濾過器（１）寄りの流路を開放し、
前記濃縮器（２）を洗浄するとともに前記濾過器（１）を洗浄する腹水濾過濃縮システム。
【請求項１０】
前記濾過器（１）の大気開放端に連通する第１の濾過器大気開放流路（１７）と、
前記第１の濾過器大気開放流路（１７）の流量を制御する第１の濾過器大気開放流量制御手段（３７）を有する、請求項１，３，６のいずれか一項に記載の腹水濾過濃縮システム。
【請求項１１】
前記濾過器（１）の前記濾液出口とは別の濾液出口に連通する第２の濾過器大気開放流路（１８）と、
前記第２の濾過器大気開放流路の流量を制御する第２の濾過器大気開放流量制御手段（３８）を有する、請求項１，３，６のいずれか一項に記載の腹水濾過濃縮システム。
【請求項１２】
前記濃縮器（２）の濃縮液出口に連通する濃縮器大気開放流路（１９）と、
前記濃縮器大気開放流路（１９）の流量を制御する濃縮側大気開放流量制御手段（３９）を有する、請求項１，３，６のいずれか一項に記載の腹水濾過濃縮システム。
【請求項１３】
請求項１０に記載の腹水濾過濃縮システムにおいて、
前記第１の濾過器大気開放流量制御手段（３７）は、前記第１の濾過器大気開放流路（１７）を開放し、前記濾過器（１）内の原液を、前記原液貯留容器（１００）に回収する工程を有する腹水濾過濃縮システム。
【請求項１４】
請求項１１に記載の腹水濾過濃縮システムにおいて、
前記第２の濾過器大気開放流量制御手段（３８）は、前記第２の濾過器大気開放流路（１８）を開放し、前記濾過器（１）内の濾液を、前記原液貯留容器（１００）に回収する工程を有する腹水濾過濃縮システム。
【請求項１５】
請求項１２に記載の腹水濾過濃縮システムにおいて、
前記濃縮側大気開放流量制御手段（３９）は、前記濃縮器大気開放流路（１９）を開放し、前記濃縮器（２）内の濾液を前記濃縮液回収容器（１０２）又は前記原液貯留容器（１００）に回収する工程を有する腹水濾過濃縮システム。
【請求項１６】
前記濾過器（１）の大気開放端に連通する第１の濾過器大気開放流路（１７）と、
前記第１の濾過器大気開放流路（１７）の流量を制御する第１の濾過器大気開放流量制御手段（３７）と、
前記濾過器（１）の前記濾液出口とは別の濾液出口に連通する第２の濾過器大気開放流路（１８）と、
前記第２の濾過器大気開放流路の流量を制御する第２の濾過器大気開放流量制御手段（３８）と、
前記濃縮器（２）の濃縮液出口に連通する濃縮器大気開放流路（１９）と、
前記濃縮器大気開放流路（１９）の流量を制御する濃縮側大気開放流量制御手段（３９）と、
を有する、請求項１，３，６のいずれか一項に記載の腹水濾過濃縮システム。
【請求項１７】
請求項１６に記載の腹水濾過濃縮システムにおいて、
前記第１の濾過器大気開放流量制御手段（３７）は、前記第１の濾過器大気開放流路（１７）を開放し、前記濾過器（１）内の原液を、前記原液貯留容器（１００）に回収する工程と、
前記第２の濾過器大気開放流量制御手段（３８）は、前記第２の濾過器大気開放流路（１８）を開放し、前記濾過器（１）内の濾液を、前記原液貯留容器（１００）に回収する工程と、
前記濃縮側大気開放流量制御手段（３９）は、前記濃縮器大気開放流路（１９）を開放し、前記濃縮器（２）内の濾液を前記濃縮液回収容器（１０２）又は前記原液貯留容器（１００）に回収する工程と、
を、順次行い、または、少なくとも２つの工程を並行して行う、腹水濾過濃縮システム。
【請求項１８】
細胞成分を含む原液を貯留する原液貯留容器（１００）と、
前記原液中の前記細胞成分を分離可能な濾過用膜を有する濾過器（１）と、
任意の溶液を濾過濃縮により濃縮液と廃液に分離可能な濃縮用膜を有する濃縮器（２）と、
前記濃縮液を回収する濃縮液回収容器（１０２）と、
前記濾過器と前記濃縮器を洗浄する洗浄液を貯留する洗浄液貯留容器（１０３）と、
前記原液貯留容器の出口と、前記濾過器の入口を接続する原液供給流路（１０）と、
前記濾過器の濾液出口と、前記濃縮器の入口を接続する濾液流路（１１）と、
前記濃縮器の濃縮液出口と、前記濃縮液回収容器を接続する濃縮液回収流路（１２）と、
前記濃縮器の濾液出口に接続される廃液流路（１３）と、
前記濃縮器の濾液出口に連通する前記洗浄液貯留容器（１０３）を接続する洗浄液供給流路（１４）と、
前記濃縮液回収流路（１２）の流量を制御する回収流量制御手段（３２）と、
前記廃液流路（１３）の流量を制御する廃液流量制御手段（３３）と、
前記洗浄液供給流路（１４）の流量を制御する洗浄液流量制御手段（３４）と、
を備えた腹水濾過濃縮システムにおける前記濾過器及び前記濃縮器を洗浄するに際し、
前記回収流量制御手段（３２）によって前記濃縮液回収流路（１２）を閉塞し、
前記廃液流量制御手段（３３）によって前記廃液流路（１３）を閉塞し、
前記洗浄液流量制御手段（３４）によって前記洗浄液供給流路（１４）を開放し、
前記洗浄液貯留容器（１０３）内の洗浄液により前記濾過器（１）及び前記濃縮器（２）を洗浄する、腹水濾過濃縮システムにおける濾過器及び濃縮器の洗浄方法。
【請求項１９】
細胞成分を含む原液を貯留する原液貯留容器（１００）と、
前記原液中の前記細胞成分を分離可能な濾過用膜を有する濾過器（１）と、
任意の溶液を濾過濃縮により濃縮液と廃液に分離可能な濃縮用膜を有する濃縮器（２）と、
前記濃縮液を回収する濃縮液回収容器（１０２）と、
前記濾過器と前記濃縮器を洗浄する洗浄液を貯留する洗浄液貯留容器（１０３）と、
前記原液貯留容器の出口と、前記濾過器の入口を接続する原液供給流路（１０）と、
前記濾過器の濾液出口と、前記濃縮器の入口を接続する濾液流路（１１）と、
前記濃縮器の濃縮液出口と、前記濃縮液回収容器を接続する濃縮液回収流路（１２）と、
前記濃縮器の濾液出口に接続される廃液流路（１３）と、
前記濃縮器の濾液出口に連通する前記洗浄液貯留容器（１０３）を接続する洗浄液供給流路（１４）と、
前記濃縮液回収流路（１２）の流量を制御する回収流量制御手段（３２）と、
前記廃液流路（１３）の流量を制御する廃液流量制御手段（３３）と、
前記洗浄液供給流路（１４）の流量を制御する洗浄液流量制御手段（３４）と、
前記濾過器（１）の大気開放端に連通する第１の濾過器大気開放流路（１７）と、
前記第１の濾過器大気開放流路（１７）の流量を制御する第１の濾過器大気開放流量制御手段（３７）と、
前記濾過器（１）の前記濾液出口とは別の濾液出口に連通する第２の濾過器大気開放流路（１８）と、
前記第２の濾過器大気開放流路の流量を制御する第２の濾過器大気開放流量制御手段（３８）と、
前記濃縮器（２）の濃縮液出口に連通する濃縮器大気開放流路（１９）と、
前記濃縮器大気開放流路（１９）の流量を制御する濃縮側大気開放流量制御手段（３９）と、
を備えた腹水濾過濃縮システムにおける前記濾過器及び前記濃縮器を洗浄するに際し、
前記第１の濾過器大気開放流量制御手段（３７）によって前記第１の濾過器大気開放流路（１７）を開放し、前記濾過器（１）内の原液を、前記原液貯留容器（１００）に回収する工程と、
前記第２の濾過器大気開放流量制御手段（３８）によって前記第２の濾過器大気開放流路（１８）を開放し、前記濾過器（１）内の濾液を、前記原液貯留容器（１００）に回収する工程と、
前記濃縮側大気開放流量制御手段（３９）によって前記濃縮器大気開放流路（１９）を開放し、前記濃縮器（２）内の濾液を前記濃縮液回収容器（１０２）又は前記原液貯留容器（１００）に回収する工程と、
を、順次行い、または、少なくとも２つの工程を並行して行う、腹濾過濃縮システムにおける濾過器及び濃縮器の洗浄時における濾液及び濃縮液の回収方法。
【発明の詳細な説明】
【技術分野】
【０００１】
本発明は、腹水濾過濃縮システム、腹水濾過濃縮システムにおける濾過器及び濃縮器の洗浄方法、並びに濾過器及び濃縮器の洗浄時における濾液及び濃縮液の回収方法に関する。
【背景技術】
【０００２】
従来、肝硬変などの腹水や胸水（以下、腹水と総称する）の溜まり易い患者に対して、腹水中のタンパク質を利用して患者の血中タンパク質濃度を上昇させるため、貯留部に針を刺し体外に排出した腹水を、中空糸膜などを用いた２種のフィルタにより濾過濃縮処理し、濃厚タンパク質溶液を得、これを患者に点滴する腹水濾過濃縮再静注法が行われている（例えば、特許文献１参照）。これは、ガン治療や緩和医療の一環として行われているもので、肝硬変、内臓病、癌性腹膜炎などでみられる難治性腹水に対して、腹水中の有害物質である細菌やガン細胞などの細胞成分を除去し、有用物質であるアルブミンなどのタンパク質を濃縮して患者に再利用しようとするものである。
【０００３】
２種のフィルタの１つ目は腹水中に含まれるガン細胞、血球成分などの細胞成分を除くための濾過フィルタであり、細胞成分を通過させず、水分、タンパク質などの溶質成分は通過させるような孔径を有する膜が用いられる。一方、もうひとつのフィルタは希薄なタンパク質濃度である腹水から除水し、タンパク質を濃縮するための濃縮フィルタであり、タンパク質成分はほとんど通過せず、水分、電解質などは通過させる膜が用いられる。通常、利便性の観点から、濾過器で細胞成分を濾別した腹水を濃縮器で濃縮する方法が取られ、これらを連続して行うようにした腹水濾過濃縮システムが利用されている。
【０００４】
ところで、このような腹水濾過濃縮システムにおいては、腹水の濾過過程で、濾過膜の表面にガン細胞や血球、フィブリンなどの除去された物質が付着することにより、短時間で濾過膜の孔が閉塞してしまう場合がある。したがって、例えば、１〜３Ｌ程度の腹水を処理しただけで濾過膜が閉塞する場合があり、大量の腹水を継続的に処理することが困難なことがあった。
【０００５】
このように濾過膜が閉塞する問題を解消するべく、外部から濾過部材に洗浄液を供給するという技術が提案されている。
【先行技術文献】
【特許文献】
【０００６】
【特許文献１】特開２０１２−１２５５５７号公報
【発明の概要】
【発明が解決しようとする課題】
【０００７】
しかしながら、従来の技術では、腹水濾過濃縮システム全体としてみた場合に、洗浄という点のみならず、有用物質の回収という点でも不十分な部分がある。
【０００８】
本発明は、上記課題を解決するためになされたものであり、洗浄という点のみならず、有用物質の回収という点でも性能を向上させた腹水濾過濃縮システム、腹水濾過濃縮システムにおける濾過器及び濃縮器の洗浄方法、並びに濾過器及び濃縮器の洗浄時における濾液及び濃縮液の回収方法を提供することを目的とする。
【課題を解決するための手段】
【０００９】
上記課題を解決するため、本発明に係る腹水濾過濃縮システムは、
細胞成分を含む原液を貯留する原液貯留容器（１００）と、
前記原液中の前記細胞成分を分離可能な濾過器（１）と、
任意の溶液を濾過濃縮により濃縮液と廃液に分離可能な濃縮器（２）と、
前記濃縮液を回収する濃縮液回収容器（１０２）と、
前記濾過器と前記濃縮器を洗浄する洗浄液を貯留する洗浄液貯留容器（１０３）と、
前記原液貯留容器の出口と、前記濾過器の入口を接続する原液供給流路（１０）と、
前記濾過器の濾液出口と、前記濃縮器の入口を接続する濾液流路（１１）と、
前記濃縮器の濃縮液出口と、前記濃縮液回収容器を接続する濃縮液回収流路（１２）と、
前記濃縮器の濾液出口に接続される廃液流路（１３）と、
前記濃縮器の濾液出口に連通する前記洗浄液貯留容器（１０３）を接続する洗浄液供給流路（１４）と、
前記濃縮液回収流路（１２）の流量を制御する回収流量制御手段（３２）と、
前記廃液流路（１３）の流量を制御する廃液流量制御手段（３３）と、
前記洗浄液供給流路（１４）の流量を制御する洗浄液流量制御手段（３４）と、
を備えている。
【００１０】
一般に、腹水濾過濃縮再静注法において患者に投与するタンパク質溶液は、投与後患者の血中タンパク質濃度を増加させる目的もあるため、ある程度高い濃度であることが必要となるが、そのために高い濃縮倍率になるよう濃縮する必要がある。処理する腹水のタンパク質濃度が濃くなると、濃縮用フィルタはタンパク質により目詰まりし、濃縮速度が低下してしまい、目標とする濃縮倍率に濃縮できない場合がある。このような場合、いったん濃縮不十分の状態でタンパク質溶液を回収し、追加で濃縮するといった工程を経ると非常に煩雑であり、さらに場合によっては濃縮用フィルタを新しいものと交換する必要があるため、施行者にとり、作業面、作業時間の面で負担のかかるものとなる上、経済面の不利益もある。また、患者にとってもタンパク質溶液が投与されるまでの拘束時間が長くなるという不利益がある。以上の問題は、濾過器における濾過用フィルタについても同様といえる。
【００１１】
この点、本発明に係る腹水濾過濃縮システムにおいては、回収流量制御手段（３２）、廃液流量制御手段（３３）、洗浄液流量制御手段（３４）といった各制御手段により各流体の流量を制御したうえで、洗浄液貯留容器（１０３）から濃縮器（２）へと洗浄液を供給し、濃縮時における溶液（濾液など）とは逆の流れで濃縮器内を流すことにより、濃縮器（のフィルタ）を洗浄することができる。また、濃縮器（のフィルタ）を洗浄した後の洗浄液を濾液流路（１１）に流して濾過器（１）へと供給し、濾過時における腹水とは逆の流れで濾過器内を流すことにより、濾過器（のフィルタ）を洗浄することができる。このように、濾過時および濃縮時における溶液の流れとは逆向きに洗浄液を流し、濾過器内および濃縮器内で逆流させて洗浄すること（本明細書では、「逆洗浄」と呼ぶ）により、濾過器および濃縮器の両方を一度に洗浄することができる。このため、目詰まり解消のための作業面、作業時間面での負担や、経済面での不利益を軽減することができる。また、タンパク質溶液が投与されるまでの拘束時間が長くなるのを回避できるという、患者にとっての利点もある。
【００１２】
上述した腹水濾過濃縮システムは、２次側たる濃縮器側から洗浄液を供給して逆洗浄する構成であり、２次側に洗浄液供給回路を接続する構成であるため、回路全体が複雑になることがなく取り回しがよい。
【００１３】
しかも、この腹水濾過濃縮システムにおいては、逆洗浄の際、濾液流路（１１）内に残存している有用物質（濾液）を原液貯留容器（１００）へと逆流させて回収することができる。このため、逆洗浄開始時に回路内やフィルタ内に残存している有用物質を回収し、当該有用物質の損失を極力低減させることができる。
【００１４】
加えて、この腹水濾過濃縮システムにおいては、回収流量制御手段（３２）、廃液流量制御手段（３３）、洗浄液流量制御手段（３４）といった各種制御手段によって各流体流量を制御することにより、逆洗浄終了後の治療開始時、回路内とフィルタ内に残存した洗浄液が濃縮液回収容器（１０２）に回収されないよう除水することが可能である。これによれば、洗浄液によって有用物質が薄まるのを回避することができる。
【００１５】
上述の腹水濾過濃縮システムにおいて、前記回収流量制御手段（３２）は、前記濃縮液回収流路（１２）を閉塞し、前記廃液流量制御手段（３３）は、前記廃液流路（１３）を閉塞し、前記洗浄液流量制御手段（３４）は、前記洗浄液供給流路（１４）を開放し、前記洗浄液貯留容器（１０３）内の洗浄液により前記濾過器（１）及び前記濃縮器（２）を洗浄することができる。
【００１６】
この状態で洗浄液貯留容器（１０３）から洗浄液を供給すると、該洗浄液は、洗浄液供給流路（１４）から濃縮器（２）へと流れ、当該濃縮器（のフィルタ）を洗浄する。濃縮器を洗浄した後の洗浄液は、さらに濾液流路（１１）を通って濾過器（１）へと流れ、当該濾過器（のフィルタ）を洗浄する。
【００１７】
しかも、この腹水濾過濃縮システムにおいては、濾過器を洗浄した後の洗浄液が、原液供給流路（１０）を通って原液貯留容器（１００）へと流れ込む一本道の経路が形成されている。したがって、逆洗浄の際、濾液流路（１１）内に残存している有用物質（濾液）を原液貯留容器（１００）へと逆流させて回収することができる。
【００１８】
腹水濾過濃縮システムは、前記濾過器（１）の原液入口に連通する洗浄液廃液流路（１５）と、前記原液供給流路（１０）の流量を制御する原液供給流量制御手段（３０）と、前記洗浄液廃液流路（１５）の流量を制御する洗浄液廃液流量制御手段（３５）と、をさらに備えるものであってもよい。
【００１９】
この腹水濾過濃縮システムにおいては、逆洗浄時、洗浄した後の洗浄液を廃液として棄てることが可能であるし、濾液等の一部を原液貯留容器（１００）に回収することも可能である。
【００２０】
腹水濾過濃縮システムは、
前記回収流量制御手段（３２）は、前記濃縮液回収流路（１２）を閉塞し、
前記廃液流量制御手段（３３）は、前記廃液流路（１３）を閉塞し、
前記洗浄液流量制御手段（３４）は、前記洗浄液供給流路（１４）を開放し、
前記原液供給流量制御手段（３０）は、前記原液供給流路（１０）を開放し、
前記洗浄液廃液流量制御手段（３５）は、前記洗浄液廃液流路（１５）を閉塞し、
前記洗浄液貯留容器（１０３）内の洗浄液により前記濾過器（１）と前記濃縮器（２）を洗浄し、当該洗浄液を前記原液供給流路（１０）へ流通させるものであってもよい。
【００２１】
この腹水濾過濃縮システムにおいては、逆洗浄時、洗浄した後の洗浄液を廃液として棄てることと、濾液等の一部を原液貯留容器（１００）に回収することの両方が選択的に可能なシステムにおいて、濾液等の一部を原液貯留容器に回収することができる。
【００２２】
腹水濾過濃縮システムは、
前記回収流量制御手段（３２）は、前記濃縮液回収流路（１２）を閉塞し、
前記廃液流量制御手段（３３）は、前記廃液流路（１３）を閉塞し、
前記洗浄液流量制御手段（３４）は、前記洗浄液供給流路（１４）を開放し、
前記洗浄液廃液流量制御手段（３５）は、前記洗浄液廃液流路（１５）を開放し、
前記原液供給流量制御手段（３０）は、前記原液供給流路（１０）を閉塞し、
前記洗浄液貯留容器（１０３）内の洗浄液により前記濾過器（１）と前記濃縮器（２）を洗浄し、当該洗浄液を前記洗浄液廃液流路（１５）へ流通させるものであってもよい。
【００２３】
この腹水濾過濃縮システムにおいては、逆洗浄時、洗浄した後の洗浄液を廃液として棄てることと、濾液等の一部を原液貯留容器（１００）に回収することの両方が選択的に可能なシステムにおいて、濾過器を洗浄した後の洗浄液を廃液として棄てることが可能である。
【００２４】
腹水濾過濃縮システムは、
前記濾液流路（１１）と前記濃縮液回収容器（１０２）を接続する再循環流路（１６）と、
前記再循環流路の流量を制御する再循環流量制御手段（３６）と、
前記濾液流路（１１）の流量を制御し、前記濾液流路（１１）と前記再循環流路（１６）との接続点（４０）よりも前記濾過器（１）側に位置する濾過流量制御手段（３１）と、
をさらに備えるものであってもよい。
【００２５】
この腹水濾過濃縮システムにおいては、再循環流量制御手段（３６）および濾過流量制御手段（３１）によって再循環流路の流量と濾液流路の流量をそれぞれ制御することにより、逆洗浄時、再循環流路（１６）内の濃縮液を濃縮液回収容器（１０２）で回収する態様と、濃縮器（２）を洗浄したうえでさらに濾過器（１）を洗浄する態様とを切り換えることができる。
【００２６】
この腹水濾過濃縮システムにおいては、
前記回収流量制御手段（３２）は、前記濃縮液回収流路（１２）を閉塞し、
前記廃液流量制御手段（３３）は、前記廃液流路（１３）を閉塞し、
前記洗浄液流量制御手段（３４）は、前記洗浄液供給流路（１４）を開放し、
前記再循環流量制御手段（３６）は、再循環流路（１６）を開放し、
前記濾過流量制御手段（３１）は、前記濾液流路（１１）のうち前記接続点（４０）よりも前記濾過器（１）寄りの流路を閉塞し、
前記洗浄液貯留容器（１０３）内の洗浄液により前記濃縮器（２）を洗浄し、前記再循環流路（１６）に流通させることができる。
【００２７】
あるいは、この腹水濾過濃縮システムにおいては、
前記回収流量制御手段（３２）は、前記濃縮液回収流路（１２）を閉塞し、
前記廃液流量制御手段（３３）は、前記廃液流路（１３）を閉塞し、
前記洗浄液流量制御手段（３４）は、前記洗浄液供給流路（１４）を開放し、
前記再循環流量制御手段（３６）は、再循環流路（１６）を閉塞し、
前記濾過流量制御手段（３１）は、前記濾液流路（１１）を開放し、
前記洗浄液貯留容器（１０３）内の洗浄液により前記濃縮器（２）を洗浄し、前記再循環流路（１６）に流通させると共に、前記濾過器（１）を洗浄し、当該洗浄液を前記原液供給流路（１０）に流通させることができる。
【００２８】
上述の腹水濾過濃縮システムにおいては、
前記回収流量制御手段（３２）及び前記廃液流量制御手段（３３）にて前記濃縮液回収流路（１２）および前記廃液流路（１３）を閉塞し、
前記洗浄液流量制御手段（３４）にて前記洗浄液流路（１４）に洗浄液を流し、
前記洗浄液貯留容器（１０３）内の洗浄液により前記濃縮器（２）を洗浄し、当該洗浄液を前記再循環流路（１６）に流通させ、
その後、前記再循環流量制御手段（３６）にて前記再循環流路（１６）を閉塞し、前記濾過流量制御手段（３１）にて前記濾液流路（１１）のうち前記接続点（４０）よりも前記濾過器（１）寄りの流路を開放し、
前記濃縮器（２）を洗浄するとともに前記濾過器（１）を洗浄することができる。
【００２９】
腹水濾過濃縮システムは、
前記濾過器（１）の大気開放端に連通する第１の濾過器大気開放流路（１７）と、
前記第１の濾過器大気開放流路（１７）の流量を制御する第１の濾過器大気開放流量制御手段（３７）を有することができる。
【００３０】
あるいは、腹水濾過濃縮システムは、
前記濾過器（１）の前記濾液出口とは別の濾液出口に連通する第２の濾過器大気開放流路（１８）と、
前記第２の濾過器大気開放流路の流量を制御する第２の濾過器大気開放流量制御手段（３８）を有するものであってもよい。
【００３１】
あるいは、腹水濾過濃縮システムは、
前記濃縮器（２）の濃縮液出口に連通する濃縮器大気開放流路（１９）と、
前記濃縮器大気開放流路（１９）の流量を制御する濃縮側大気開放流量制御手段（３９）を有するものであってもよい。
【００３２】
また、腹水濾過濃縮システムにおいて、前記第１の濾過器大気開放流量制御手段（３７）は、前記第１の濾過器大気開放流路（１７）を開放し、前記濾過器（１）内の原液を、前記原液貯留容器（１００）に回収する工程を有するものであってもよい。
【００３３】
また、腹水濾過濃縮システムにおいて、前記第２の濾過器大気開放流量制御手段（３８）は、前記第２の濾過器大気開放流路（１８）を開放し、前記濾過器（１）内の濾液を、前記原液貯留容器（１００）に回収する工程を有するものであってもよい。
【００３４】
また、腹水濾過濃縮システムにおいて、前記濃縮側大気開放流量制御手段（３９）は、前記濃縮器大気開放流路（１９）を開放し、前記濃縮器（２）内の濾液を前記濃縮液回収容器（１０２）又は前記原液貯留容器（１００）に回収する工程を有するものであってもよい。
【００３５】
また、腹水濾過濃縮システムは、
前記濾過器（１）の大気開放端に連通する第１の濾過器大気開放流路（１７）と、
前記第１の濾過器大気開放流路（１７）の流量を制御する第１の濾過器大気開放流量制御手段（３７）と、
前記濾過器（１）の前記濾液出口とは別の濾液出口に連通する第２の濾過器大気開放流路（１８）と、
前記第２の濾過器大気開放流路の流量を制御する第２の濾過器大気開放流量制御手段（３８）と、
前記濃縮器（２）の濃縮液出口に連通する濃縮器大気開放流路（１９）と、
前記濃縮器大気開放流路（１９）の流量を制御する濃縮側大気開放流量制御手段（３９）と、
を有するものであってもよい。
【００３６】
さらに、この腹水濾過濃縮システムは、
前記第１の濾過器大気開放流量制御手段（３７）は、前記第１の濾過器大気開放流路（１７）を開放し、前記濾過器（１）内の原液を、前記原液貯留容器（１００）に回収する工程と、
前記第２の濾過器大気開放流量制御手段（３８）は、前記第２の濾過器大気開放流路（１８）を開放し、前記濾過器（１）内の濾液を、前記原液貯留容器（１００）に回収する工程と、
前記濃縮側大気開放流量制御手段（３９）は、前記濃縮器大気開放流路（１９）を開放し、前記濃縮器（２）内の濾液を前記濃縮液回収容器（１０２）又は前記原液貯留容器（１００）に回収する工程と、
を、順次行い、または、少なくとも２つの工程を並行して行うものであってもよい。
【００３７】
また、本発明に係る腹水濾過濃縮システムにおける濾過器及び濃縮器の洗浄方法は、
細胞成分を含む原液を貯留する原液貯留容器（１００）と、
前記原液中の前記細胞成分を分離可能な濾過用膜を有する濾過器（１）と、
任意の溶液を濾過濃縮により濃縮液と廃液に分離可能な濃縮用膜を有する濃縮器（２）と、
前記濃縮液を回収する濃縮液回収容器（１０２）と、
前記濾過器と前記濃縮器を洗浄する洗浄液を貯留する洗浄液貯留容器（１０３）と、
前記原液貯留容器の出口と、前記濾過器の入口を接続する原液供給流路（１０）と、
前記濾過器の濾液出口と、前記濃縮器の入口を接続する濾液流路（１１）と、
前記濃縮器の濃縮液出口と、前記濃縮液回収容器を接続する濃縮液回収流路（１２）と、
前記濃縮器の濾液出口に接続される廃液流路（１３）と、
前記濃縮器の濾液出口に連通する前記洗浄液貯留容器（１０３）を接続する洗浄液供給流路（１４）と、
前記濃縮液回収流路（１２）の流量を制御する回収流量制御手段（３２）と、
前記廃液流路（１３）の流量を制御する廃液流量制御手段（３３）と、
前記洗浄液供給流路（１４）の流量を制御する洗浄液流量制御手段（３４）と、
を備えた腹水濾過濃縮システムにおける前記濾過器及び前記濃縮器を洗浄するに際し、
前記回収流量制御手段（３２）によって前記濃縮液回収流路（１２）を閉塞し、
前記廃液流量制御手段（３３）によって前記廃液流路（１３）を閉塞し、
前記洗浄液流量制御手段（３４）によって前記洗浄液供給流路（１４）を開放し、
前記洗浄液貯留容器（１０３）内の洗浄液により前記濾過器（１）及び前記濃縮器（２）を洗浄する、というものである。
【００３８】
また、腹水濾過濃縮システムにおける濾過器及び濃縮器の洗浄時における濾液及び濃縮液の回収方法は、
細胞成分を含む原液を貯留する原液貯留容器（１００）と、
前記原液中の前記細胞成分を分離可能な濾過用膜を有する濾過器（１）と、
任意の溶液を濾過濃縮により濃縮液と廃液に分離可能な濃縮用膜を有する濃縮器（２）と、
前記濃縮液を回収する濃縮液回収容器（１０２）と、
前記濾過器と前記濃縮器を洗浄する洗浄液を貯留する洗浄液貯留容器（１０３）と、
前記原液貯留容器の出口と、前記濾過器の入口を接続する原液供給流路（１０）と、
前記濾過器の濾液出口と、前記濃縮器の入口を接続する濾液流路（１１）と、
前記濃縮器の濃縮液出口と、前記濃縮液回収容器を接続する濃縮液回収流路（１２）と、
前記濃縮器の濾液出口に接続される廃液流路（１３）と、
前記濃縮器の濾液出口に連通する前記洗浄液貯留容器（１０３）を接続する洗浄液供給流路（１４）と、
前記濃縮液回収流路（１２）の流量を制御する回収流量制御手段（３２）と、
前記廃液流路（１３）の流量を制御する廃液流量制御手段（３３）と、
前記洗浄液供給流路（１４）の流量を制御する洗浄液流量制御手段（３４）と、
前記濾過器（１）の大気開放端に連通する第１の濾過器大気開放流路（１７）と、
前記第１の濾過器大気開放流路（１７）の流量を制御する第１の濾過器大気開放流量制御手段（３７）と、
前記濾過器（１）の前記濾液出口とは別の濾液出口に連通する第２の濾過器大気開放流路（１８）と、
前記第２の濾過器大気開放流路の流量を制御する第２の濾過器大気開放流量制御手段（３８）と、
前記濃縮器（２）の濃縮液出口に連通する濃縮器大気開放流路（１９）と、
前記濃縮器大気開放流路（１９）の流量を制御する濃縮側大気開放流量制御手段（３９）と、
を備えた腹水濾過濃縮システムにおける前記濾過器及び前記濃縮器を洗浄するに際し、
前記第１の濾過器大気開放流量制御手段（３７）によって前記第１の濾過器大気開放流路（１７）を開放し、前記濾過器（１）内の原液を、前記原液貯留容器（１００）に回収する工程と、
前記第２の濾過器大気開放流量制御手段（３８）によって前記第２の濾過器大気開放流路（１８）を開放し、前記濾過器（１）内の濾液を、前記原液貯留容器（１００）に回収する工程と、
前記濃縮側大気開放流量制御手段（３９）によって前記濃縮器大気開放流路（１９）を開放し、前記濃縮器（２）内の濾液を前記濃縮液回収容器（１０２）又は前記原液貯留容器（１００）に回収する工程と、
を、順次行い、または、少なくとも２つの工程を並行して行う、というものである。
【発明の効果】
【００３９】
本発明によれば、洗浄という点のみならず、有用物質の回収という点でも性能の向上を図ることができる。
【図面の簡単な説明】
【００４０】
【図１】本発明の第１の実施形態における腹水濾過濃縮システムの構成を示す図である。
【図２】本発明の第２の実施形態における腹水濾過濃縮システムの構成を示す図である。
【図３】本発明の第３の実施形態における腹水濾過濃縮システムの構成を示す図である。
【図４】本発明の第４の実施形態における腹水濾過濃縮システムの構成を示す図である。
【図５】本発明の第５の実施形態における腹水濾過濃縮システムの構成を示す図である。
【図６】本発明の第６の実施形態における腹水濾過濃縮システムの構成を示す図である。
【図７】本発明の第７の実施形態における腹水濾過濃縮システムの構成を示す図である。
【図８】本発明の第８の実施形態における腹水濾過濃縮システムの構成を示す図である。
【図９】本発明の第９の実施形態における腹水濾過濃縮システムの構成を示す図である。
【図１０】本発明の第１０の実施形態における腹水濾過濃縮システムの構成を示す図である。
【図１１】図１０に示した腹水濾過濃縮システムにおける濾過時の液体の流れを説明する図である。
【図１２】図１０に示した腹水濾過濃縮システムにおける濃縮時の液体の流れを説明する図である。
【図１３】図１０に示した腹水濾過濃縮システムにおける逆洗浄時の液体の流れ（第１ステップ）を説明する図である。
【図１４】図１０に示した腹水濾過濃縮システムにおける逆洗浄時の液体の流れ（第２ステップ）を説明する図である。
【図１５】図１０に示した腹水濾過濃縮システムにおける逆洗浄時の液体の流れ（第３ステップ）を説明する図である。
【発明を実施するための形態】
【００４１】
本発明に係る腹水濾過濃縮システム２００は、原液貯留容器１００に貯留された腹水（タンパク質溶液）を濾過及び濃縮して濃厚タンパク質溶液（高濃度タンパク質溶液）を得るシステムである。
【００４２】
採取された患者の腹水は原液貯留容器１００に貯留される。一般に、腹水は、タンパク質濃度が５g/dL以下の低濃度タンパク質溶液である。原液貯留容器１００は、原液供給流路１０を介して、濾過器１への原液入口である一次側入口ポート１ａと接続されている。濾過器１に供給された原液（腹水）は、濾過器１内の濾過膜１ｆで濾過されるが、細胞成分は濾過膜１ｆを通過できないため、濾過器１の濾液出口である二次側出口ポート１ｃからは細胞成分が除かれた、タンパク質を含む濾液（濾過後の腹水）が排出される。濾液は、その後、濃縮器２へと供給され、濃縮膜２ｆによって水分が分離されて濃縮される。
【００４３】
以下、添付図面を参照しつつ各本発明の実施形態を説明する。
【００４４】
＜第１の実施形態＞
本発明の第１の実施形態を以下に示す。
【００４５】
図１に示す腹水濾過濃縮システム２００は、原液貯留容器１００、濾過器１、濃縮器２、濃縮液回収容器１０２、洗浄液貯留容器１０３、原液供給流路１０、濾液流路１１、濃縮液回収流路１２、廃液流路１３、洗浄液供給流路１４、回収流量制御手段３２、廃液流量制御手段３３、洗浄液流量制御手段３４を備えている。
【００４６】
原液貯留容器１００には、細胞成分を含む原液（一例として、患者から採取された腹水）を収容できる。本実施形態の腹水濾過濃縮システム２００において、この原液貯留容器１００内の腹水は、例えば軟質性のチューブからなる原液供給流路１０を通じて濾過器１の一次側入口ポート１ａへと供給される。本実施形態では、原液貯留容器１００を比較的高所に配置し、他の構成との間における液体の高低差に基づく圧力差（落差圧）により原液を送液する。
【００４７】
濾過器１は、例えばがん細胞などの所定の病因物質を分離して除去し、アルブミンなどの所定の有用成分を通過させる中空糸膜などの濾過膜１ｆを有している。濾過膜１ｆの一次側（例えば、中空糸膜の内側）に供給された腹水のうち、濾過膜を通過して濾過されたもの（濾液）は、濾過器１の二次側出口ポート１ｂ，１ｃの一方（例えば二次側出口ポート１ｃ）から排出される。なお、濾過器１に対し、濾液流路１１は、濾過膜１ｆを構成する中空糸外側室部分に通じていれば、いずれの位置に接続されていてもよい。便宜上、本明細書では、濾過用ないし濃縮用の膜を境に、原液が流通する領域を一次側、膜を通過した側を二次側と呼んでいる。
【００４８】
濾過膜１ｆは細胞成分と水分、及び電解質やタンパク質などの溶質成分を分離できれば特に限定されるものではない。フィルタの構造、形状、寸法としては、原液貯留容器１００または濃縮器２と接続するための流路と接続ができる原液入口、及び濾液出口を備えていれば制限はない。また、濾過膜１ｆとして用いられる中空糸について、素材は特に限定はなく、製膜時に孔径制御がしやすく且つ化学的安定性に優れる理由から、ポリエチレンなどのポリオレフィン系、ポリスルホン系、再生セルロース系、ポリビニルアルコール系などが好ましい。これら例示した中空糸素材には他の材料が含有されていても良く、また化学的に修飾されていても良い。通常、孔径が0.2μｍ以下で、かつタンパク質の透過率が80％以上である中空糸膜フィルタが用いられる。
【００４９】
濾過器１の二次側出口ポート１ｃから排出された濾液は、濾液流路１１を通り、濃縮器２の一次側入口ポート２ａへ供給される。濃縮器２は、濾液中の水分などのみを通過させる濃縮膜２ｆを有しており、濃縮膜２ｆの一次側（例えば、中空糸膜の内側）に供給された濾液から水分を分離して濃縮させる。分離された水分（濾液）は、二次側出口ポート２ｂ，２ｃの一方（例えば、二次側出口ポート２ｂ）から排出される。
【００５０】
濃縮器２の二次側出口ポート２ｂには、廃液流路１３が接続されている。廃液流路１３の途中には、当該廃液流路１３を流れる液体（この場合、廃液）の流量を制御する廃液流量制御バルブ３３が設けられている。濃縮器２の濃縮膜２ｆによって分離された水分（濾液）は、この廃液流路１３を通じ廃液として排出される。
【００５１】
濃縮器２の一次側出口ポート（濃縮液出口）２ｄには濃縮液回収流路１２が接続されており、この濃縮液回収流路１２の先には、濃縮液を回収する濃縮液回収容器１０２が接続されている。また、濃縮液回収流路の途中には、濃縮液回収流路１２を流れる流体（本実施形態場合、濃縮液）の流量を制御する回収流量制御バルブ３２が設けられている。濃縮器２において水分が分離されることによって濃縮した濃縮液は、濃縮液回収容器１０２において回収される。
【００５２】
濃縮液回収容器１０２は、液体を貯留することができればどのようなものでもよいが、通常、取り扱い性の観点から、ポリ塩化ビニル製のバッグが用いられる。原液貯留容器１００についても同様である。これら各種容器の大きさは採取してきた腹水の量などにより決定される。
【００５３】
洗浄液貯留容器１０３は、逆洗浄（濾過時および濃縮時における溶液の流れとは逆向きに洗浄液を流し、濾過器１内の濾過膜１ｆおよび濃縮器２内の濃縮膜２ｆを逆流させて洗浄すること）に用いられる洗浄液を貯留した容器である。この洗浄液貯留容器１０３は、逆洗浄の際、洗浄液供給流路１４を介して濃縮器２の二次側出口ポート２ｂ，２ｃの他方（本実施形態の場合、二次側出口ポート２ｃ）に接続され、洗浄液を供給する。洗浄液供給流路１４には、当該洗浄液供給流路１４を流れる液体（洗浄液）の流量を制御する洗浄液流量制御バルブ３４が設けられている。
【００５４】
なお、原液供給流路１０、濾液流路１１、濃縮液回収流路１２といった各流路は、原液貯留容器１００、濃縮液回収容器１０２、濾過器
１、濃縮器２などを接続できるものであれば材質、寸法などに限定はない。通常、これら流路を形成するチューブとして、ポリ塩化ビニルなどから製造される軟質チューブが用いられる。
【００５５】
続いて、上述した腹水濾過濃縮システム２００における逆洗浄について説明する。
【００５６】
ここでは、洗浄液貯留容器１０３内の洗浄液により濃縮器２の濃縮膜２ｆおよび濾過器１の濾過膜１ｆを逆洗浄する際、回収流量制御バルブ３２を閉じて濃縮液回収流路１２を閉塞し、廃液流量制御バルブ３３を閉じて廃液流路１３を閉塞し、その一方で、洗浄液流量制御バルブ３４を開いて洗浄液供給流路１４を開放した状態としておく。
【００５７】
この状態で洗浄液貯留容器１０３から供給された洗浄液は、二次側出口ポート２ｂから濃縮器２内へと流れ込み、濃縮膜２ｆを洗浄し、一次側入口ポート２ａから排出された後、濾液流路１１を逆流し、二次側出口ポート１ｃから濾過器１内へと流れ込み、濾過膜１ｆを洗浄し、一次側入口ポート１ａから排出される（図１中の二点鎖線参照）。このように、本実施形態の腹水濾過濃縮システム２００においては、濃縮器２（の濃縮膜２ｆ）および濾過器１（の濾過膜１ｆ）を一度に逆洗浄することが可能となっている。
【００５８】
また、本実施形態の腹水濾過濃縮システム２００においては、濾過器１を洗浄した後の洗浄液が、原液供給流路１０を通って原液貯留容器１００へと流れ込む一本道の経路が形成された状態で逆洗浄を実施する。したがって、逆洗浄の際、濾液流路１１内等に残存している有用物質（濾液）を原液貯留容器１００へと逆流させて回収することができる。例えば、所定量の有用物質を回収した時点で洗浄液の供給をいったん止め、原液貯留容器１００を外し、その後は原液供給流路１０の開放端から洗浄液廃液を廃棄しながら逆洗浄を引き続き行う、といった進め方も可能である。
【００５９】
＜第２の実施形態＞
本発明の第２の実施形態を以下に示す。
【００６０】
図２に示す腹水濾過濃縮システム２００は、その大部分において、上述した第１の実施形態における構造と共通する。ただし、本実施形態では、洗浄液供給流路１４を、濃縮器２の二次側出口ポート２ｃではなく、二次側出口ポート２ｂに接続する。こうする場合、洗浄液供給流路１４の一端を二次側出口ポート２ｂに直接接続してもよいし、廃液流路１３の途中で合流させてもよい。
【００６１】
本実施形態の腹水濾過濃縮システム２００における逆洗浄は、第１の実施形態におけるものと同じ手順に沿って実施することができる。このとき、本実施形態では、洗浄液が二次側出口ポート２ｃではなく二次側出口ポート２ｂを通って濃縮器２へと供給されるが、濃縮器２（の濃縮膜２ｆ）および濾過器１（の濾過膜１ｆ）を一度に逆洗浄することが可能という点は、上述した第１の実施形態と同様である（図２中の二点鎖線参照）。
【００６２】
＜第３の実施形態＞
本発明の第３の実施形態を以下に示す。
【００６３】
図３に示す腹水濾過濃縮システム２００は、第１の実施形態におけるシステムの他、洗浄液廃液流路１５、原液供給流量制御バルブ３０、洗浄液廃液流量制御バルブ３５をさらに備えた構成となっている。
【００６４】
洗浄液廃液流路１５は、濾過器１の原液入口に連通するように構成される流路である。本実施形態の洗浄液廃液流路１５は、原液供給流路１０の途中の分岐点１０ａで分岐し、該分岐点１０ａから重力方向下方に延びるように形成されている。この洗浄液廃液流路１５の途中には、洗浄液廃液流量制御バルブ３５が設けられている。また、原液供給流路１０上であって、分岐点１０ａと原液貯留容器１００との間には、原液供給流量制御バルブ３０が設けられている。
【００６５】
続いて、上述した腹水濾過濃縮システム２００における逆洗浄について説明する。この腹水濾過濃縮システム２００においては、逆洗浄時、濾液等の一部を原液貯留容器１００に回収することが可能であるし、洗浄した後の洗浄液を廃液（洗浄液廃液）として棄てることも可能である。
【００６６】
本実施形態では、まず、回収流量制御バルブ３２を閉じて濃縮液回収流路１２を閉塞し、廃液流量制御バルブ３３を閉じて廃液流路１３を閉塞し、洗浄液流量制御バルブ３４を開いて洗浄液供給流路１４を開放し、原液供給流量制御バルブ３０を開いて原液供給流路１０を開放し、洗浄液廃液流量制御バルブ３５を閉じて洗浄液廃液流路１５を閉塞した状態とする。この状態で、洗浄液貯留容器１０３内の洗浄液を供給すると、該洗浄液は洗浄液供給流路１４を通って濃縮器２へと流れ込み、該濃縮器２（の濃縮膜２ｆ）を逆洗浄し、その後、濾液流路１１を通って濾過器１へと流れ込み、該濾過器１（の濾過膜１ｆ）を逆洗浄する。その後、洗浄液は、原液供給流路１０を流通する（図３中の二点鎖線参照）。
【００６７】
こうした場合、逆洗浄開始時における回路およびフィルタ内の有用物質の損失を少なくすることができる。具体的には、濾過器１、濾液流路１１、濃縮器２の内部に残留している有用物質（濾液など）を原液貯留容器１００に回収することができる。なお、逆洗浄が進むにつれ、回収される有用物質は薄まるが、それでも有用物質がまだ多い間は、当該有用物質の原液貯留容器１００での回収を続行してもよい。
【００６８】
また、本実施形態では、上述のようにして有用物質（濾液など）の一部を原液貯留容器１００に回収したら、洗浄液の流路を一部切り換え、逆洗浄時、洗浄した後の洗浄液を廃液として棄てる。具体的には、上述した状態から、原液供給流量制御バルブ３０を閉じて原液供給流路１０を閉塞し、洗浄液廃液流量制御バルブ３５を開いて洗浄液廃液流路１５を開放する。このように切り換えた後、濾過器１を逆洗浄した洗浄液は、原液供給流路１０の途中の分岐点１０ａで分岐して洗浄液廃液流路１５へと流れ込み、廃棄される（図３中の破線参照）。
【００６９】
このように洗浄液の流路の一部を切り換えた後は、洗浄液が原液貯留容器１００に流れ込むのを回避することができる。したがって、洗浄後の洗浄液によって原液貯留容器１００内の有用物質が薄まるのを抑えることができる。
【００７０】
また、逆洗浄が終了した時点で、回路（濾液流路１１など）内やフィルタ（濾過膜１ｆ、濃縮膜２ｆ）内には洗浄液が残存する。そこで、次の治療開始時、このように残存している洗浄液が濃縮液回収容器１０２に回収されることを回避するべく、回路内やフィルタ内の洗浄液を除水しておくことが好ましい。
【００７１】
＜第４の実施形態＞
本発明の第４の実施形態を以下に示す。
【００７２】
図４に示す腹水濾過濃縮システム２００は、その大部分において、上述した第２の実施形態における構造（図２参照）と共通する。ただし、本実施形態では、洗浄液廃液流路１５が、原液供給流路１０の分岐点１０ａにではなく、濾過器１の一次側出口ポート１ｄに接続されている。この洗浄液廃液流路１５の途中には、洗浄液廃液流量制御バルブ３５が設けられている。
【００７３】
このような腹水濾過濃縮システム２００は、上述した第３の実施形態の腹水濾過濃縮システムと比べると、濾過器１を逆洗浄した後の洗浄液を廃棄する際のルートが異なる。すなわち、上述した第３の実施形態においては、濾過器１を逆洗浄した洗浄液が、一次側入口ポート１ａから出て、原液供給流路１０、分岐点１０ａを通り、さらに洗浄液廃液流路１５を通って廃棄されていたのに対し、本実施形態においては、濾過器１を逆洗浄した洗浄液が、濾過器１の一次側出口ポート１ｄから出て、洗浄液廃液流路１５を通って廃棄される。
【００７４】
また、本実施形態の腹水濾過濃縮システム２００においては、第３の実施形態と同様、逆洗浄時、濾液等の一部を原液貯留容器１００に回収することが可能であるし、洗浄した後の洗浄液を廃液（洗浄液廃液）として棄てることも可能である。
【００７５】
すなわち、まず、回収流量制御バルブ３２を閉じて濃縮液回収流路１２を閉塞し、廃液流量制御バルブ３３を閉じて廃液流路１３を閉塞し、洗浄液流量制御バルブ３４を開いて洗浄液供給流路１４を開放し、原液供給流量制御バルブ３０を開いて原液供給流路１０を開放し、洗浄液廃液流量制御バルブ３５を閉じて洗浄液廃液流路１５を閉塞した状態とする。この状態で、洗浄液貯留容器１０３内の洗浄液を供給すると、該洗浄液は洗浄液供給流路１４を通って濃縮器２へと流れ込み、該濃縮器２（の濃縮膜２ｆ）を逆洗浄し、その後、濾液流路１１を通って濾過器１へと流れ込み、該濾過器１（の濾過膜１ｆ）を逆洗浄する。その後、洗浄液は、原液供給流路１０を流通する（図４中の二点鎖線参照）。
【００７６】
また、上述のようにして有用物質（濾液など）の一部を原液貯留容器１００に回収したら、洗浄液の流路を一部切り換え、逆洗浄時、洗浄した後の洗浄液を廃液として棄てる。具体的には、上述した状態から、原液供給流量制御バルブ３０を閉じて原液供給流路１０を閉塞し、洗浄液廃液流量制御バルブ３５を開いて洗浄液廃液流路１５を開放する。このように切り換えた後、濾過器１を逆洗浄した洗浄液は、濾過器１の一次側出口ポート１ｄから洗浄液廃液流路１５へと流れ込み、廃棄される（図４中の破線参照）。
【００７７】
＜第５の実施形態＞
本発明の第５の実施形態を以下に示す。
【００７８】
図５に示す腹水濾過濃縮システム２００は、その大部分において、上述した第１の実施形態における構造（図１参照）と共通する。ただし、本実施形態の腹水濾過濃縮システム２００は、さらに、再循環流路１６、再循環流量制御バルブ３６、濾過流量制御手段３１を備えている。
【００７９】
再循環流路１６は、濾液流路１１と濃縮液回収容器１０２を接続するための例えばチューブからなる流路で、濃縮液（濃縮器２によって水分が分離され濃縮された液体）を循環させて再び濃縮器２を通過させ、水分を分離してさらに濃縮することを可能とする。濃縮器２は、濾過器１の濾液および循環した濃縮液のいずれか一方または両方を含む任意の溶液を濃縮する。本実施形態の再循環流路１６は、濃縮液回収容器１０２と濾液流路１１と繋ぐ流路であり、濃縮液を濾液流路１１へと戻し、再び濃縮器２を通過させることによって一段と濃縮することを可能とする。この再循環流路１６の途中には、当該再循環流路１６を流れる濃縮液の流量を制御する再循環流量制御バルブ３６が設けられている。また、濾液流路１１および再循環流路１６の接続点４０と、濾過器１との間には、濾液流路１１の流量を制御する濾過流量制御バルブ３１が設けられている。
【００８０】
このような腹水濾過濃縮システム２００においては、逆洗浄時、再循環流路１６内の濃縮液を濃縮液回収容器１０２で回収することが可能である。また、濃縮器２を洗浄し、さらに濾過器１を洗浄することも可能である。以下、この腹水濾過濃縮システム２００における逆洗浄について説明する。
【００８１】
本実施形態では、まず、回収流量制御バルブ３２を閉じて濃縮液回収流路１２を閉塞し、廃液流量制御バルブ３３を閉じて廃液流路１３を閉塞し、洗浄液流量制御バルブ３４を開いて洗浄液供給流路（１４）を開放し、再循環流量制御バルブ３６を開いて再循環流路１６を開放する。また、濾過流量制御バルブ３１を閉じることにより、濾液流路１１のうち接続点４０よりも濾過器１寄りの流路を閉塞する。この状態で、洗浄液貯留容器１０３内の洗浄液を供給すると、該洗浄液は濃縮器２へと流れ込み、該濃縮器（の濃縮膜２ｆ）を洗浄し、その後、濾液流路１１を通り、接続点４０から再循環流路（１６）に流れ込む（図５中の二点鎖線参照）。したがって、この状態で逆洗浄を開始した当初、再循環流路１６内の有用成分たる濃縮液を濃縮液回収容器１０２に流し込んで回収することができる。
【００８２】
このようにして有用成分たる濃縮液を濃縮液回収容器１０２で回収した後は、洗浄液の流路を切り換え、濃縮器２と濾過器１の両方を逆洗浄することができる。具体的には、回収流量制御バルブ３２は閉じたまま濃縮液回収流路１２を閉塞しておき、廃液流量制御バルブ３３も閉じたまま廃液流路１３を閉塞しておき、洗浄液流量制御バルブ３４は開いたまま洗浄液供給流路１４を開放しておく。一方で、再循環流量制御バルブ３６を閉じて再循環流路１６を閉塞し、濾過流量制御バルブ３１を開いて濾液流路（１１）を開放した状態とする。この状態で、洗浄液貯留容器１０３内の洗浄液を供給すると、該洗浄液は濃縮器２へと流れ込み、該濃縮器（の濃縮膜２ｆ）を洗浄し、その後、濾液流路１１を通り、接続点４０から濾過器１側へと流れ込み、該濾過器１（の濾過膜１ｆ）を洗浄する（図５中の破線参照）。その後の洗浄液は、原液供給流路１０を通って原液貯留容器１００にて回収される。
【００８３】
＜第６の実施形態＞
本発明の第６の実施形態を以下に示す。
【００８４】
図６に示す腹水濾過濃縮システム２００は、その大部分において、上述した第５の実施形態における構造と共通する。ただし、本実施形態では、洗浄液供給流路１４を、濃縮器２の二次側出口ポート２ｃではなく、二次側出口ポート２ｂに接続する。こうする場合、洗浄液供給流路１４の一端を二次側出口ポート２ｂに直接接続してもよいし、廃液流路１３の途中で合流させてもよい。
【００８５】
本実施形態の腹水濾過濃縮システム２００における逆洗浄は、第５の実施形態におけるものと同じ手順に沿って実施することができる。このとき、本実施形態では、洗浄液が二次側出口ポート２ｃではなく二次側出口ポート２ｂを通って濃縮器２へと供給されるが、逆洗浄を開始した当初に再循環流路１６内の有用成分たる濃縮液を濃縮液回収容器１０２に流し込んで回収することが可能という点（図６中の二点鎖線参照）、さらに、その後、濃縮器２（の濃縮膜２ｆ）および濾過器１（の濾過膜１ｆ）を一度に逆洗浄することが可能という点（図６中の破線参照）は、上述した第５の実施形態と同様である。
【００８６】
＜第７の実施形態＞
本発明の第７の実施形態を以下に示す。
【００８７】
図７に示す腹水濾過濃縮システム２００は、第５の実施形態におけるシステムの他、洗浄液廃液流路１５、洗浄液廃液流量制御バルブ３５をさらに備えた構成となっている。洗浄液廃液流路１５は、濾過器１の原液入口に連通するように構成される流路である。本実施形態の洗浄液廃液流路１５は、原液供給流路１０の途中の分岐点１０ａで分岐し、該分岐点１０ａから重力方向下方に延びるように形成されている。この洗浄液廃液流路１５の途中には、洗浄液廃液流量制御バルブ３５が設けられている。
【００８８】
この腹水濾過濃縮システム２００においては、逆洗浄の際、再循環流路１６内の有用成分たる濃縮液を濃縮液回収容器１０２に流し込んで回収することができるし、濾液流路１１内の濾液等の一部を原液貯留容器１００に回収することも可能である。さらに、洗浄した後の洗浄液を、洗浄液廃液流路１５を通じて廃液（洗浄液廃液）として棄てることも可能である。
【００８９】
＜第８の実施形態＞
本発明の第８の実施形態を以下に示す。
【００９０】
図８に示す腹水濾過濃縮システム２００は、第６の実施形態におけるシステムの他、濾過器１の一次側出口ポート１ｄに接続された洗浄液廃液流路１５と、この洗浄液廃液流路１５の途中に設けられた洗浄液廃液流量制御バルブ３５を備えている。
【００９１】
このような腹水濾過濃縮システム２００は、上述した第７の実施形態の腹水濾過濃縮システム２００と比べると、濾過器１を逆洗浄した後の洗浄液を廃棄する際のルートが異なる。すなわち、上述した第７の実施形態においては、濾過器１を逆洗浄した洗浄液が、一次側入口ポート１ａから出て、原液供給流路１０、分岐点１０ａを通り、さらに洗浄液廃液流路１５を通って廃棄されていたのに対し、本実施形態においては、濾過器１を逆洗浄した洗浄液が、濾過器１の一次側出口ポート１ｄから出て、洗浄液廃液流路１５を通って廃棄される。
【００９２】
この腹水濾過濃縮システム２００においては、逆洗浄の際、再循環流路１６内の有用成分たる濃縮液を濃縮液回収容器１０２に流し込んで回収することができるし、濾液流路１１内の濾液等の一部を原液貯留容器１００に回収することも可能である。さらに、洗浄した後の洗浄液を、洗浄液廃液流路１５を通じて廃液（洗浄液廃液）として棄てることも可能である。
【００９３】
＜第９の実施形態＞
本発明の第９の実施形態を以下に示す。
【００９４】
図９に示す本実施形態の腹水濾過濃縮システム２００は、一次側出口ポート（大気開放端）１ｄに接続された第１の濾過器大気開放流路１７と、該第１の濾過器大気開放流路１７の流量を制御する第１の濾過器大気開放流量制御バルブ３７とを有している。
【００９５】
この腹水濾過濃縮システム２００においては、逆洗浄の際、再循環流路１６内の有用成分たる濃縮液を濃縮液回収容器１０２に流し込んで回収することができるし、濾液流路１１内の濾液等の一部を原液貯留容器１００に回収することも可能である。さらに、洗浄した後の洗浄液を、洗浄液廃液流路１５を通じて廃液（洗浄液廃液）として棄てることも可能である。
【００９６】
また、本実施形態の腹水濾過濃縮システム２００は、濾過器１の濾液出口（例えば、濾過器１の二次側出口ポート１ｃ）とは別の濾液出口（例えば、濾過器１の二次側出口ポート１ｂ）に連通する第２の濾過器大気開放流路１８と、該第２の濾過器大気開放流路１８の流量を制御する第２の濾過器大気開放流量制御バルブ３８を有している。
【００９７】
また、本実施形態の腹水濾過濃縮システム２００は、濃縮器２の一次側出口ポート（濃縮液出口）２ｄに連通するように設けられた濃縮器大気開放流路１９と、この濃縮器大気開放流路１９の流量を制御する濃縮側大気開放流量制御バルブ３９を有している。
【００９８】
この腹水濾過濃縮システム２００においては、第１の濾過器大気開放流量制御バルブ３７によって第１の濾過器大気開放流路１７を開放した状態とし、逆洗浄の際、この第１の濾過器大気開放流路１７から濾過器１に向けて例えばエアを送り出すことによって、濾過器１内の原液を原液貯留容器１００に回収することが可能である（図９中の矢印参照）。エア送り出しは、例えばエアポンプなどのエア送り出し装置を利用して行うことができるし、あるいは、各容器（原液貯留容器１００、濃縮液回収容器１０２）を各大気開放流路（第１の濾過器大気開放流路１７、第２の濾過器大気開放流路１８、濃縮器大気開放流路１９）よりも下方となる位置に配置し、バルブ（第１の濾過器大気開放流量制御バルブ３７、第２の濾過器大気開放流量制御バルブ３８、濃縮側大気開放流量制御バルブ３９）を開ければエアが吸い込まれるようにした構成で行うこともできる。
【００９９】
また、この腹水濾過濃縮システム２００においては、第２の濾過器大気開放流量制御バルブ３８によって第２の濾過器大気開放流路１８を開放した状態とし、逆洗浄の際、この第２の濾過器大気開放流路１８から濾過器１に向けて例えばエアを送り出すことによって、濾過器１内の濾液を原液貯留容器１００に回収することが可能である（図９中の矢印参照）。
【０１００】
また、この腹水濾過濃縮システム２００においては、濃縮側大気開放流量制御バルブ３９によって濃縮器大気開放流路１９を開放した状態とし、逆洗浄の際、この濃縮器大気開放流路１９から濃縮器２に向けて例えばエアを送り出すことによって、濃縮器２内の濾液を濃縮液回収容器１０２又は原液貯留容器１００に回収することが可能である（図９中の矢印参照）。
【０１０１】
また、この腹水濾過濃縮システム２００において、上述した３つの工程、すなわち
(a) 第１の濾過器大気開放流量制御バルブ３７によって第１の濾過器大気開放流路１７を開放した状態とし、逆洗浄の際、この第１の濾過器大気開放流路１７から濾過器１に向けて例えばエアを送り出すことによって、濾過器１内の原液を原液貯留容器１００に回収する工程、
(b) 第２の濾過器大気開放流量制御バルブ３８によって第２の濾過器大気開放流路１８を開放した状態とし、逆洗浄の際、この第２の濾過器大気開放流路１８から濾過器１に向けて例えばエアを送り出すことによって、濾過器１内の濾液を原液貯留容器１００に回収する工程、
(c) 濃縮側大気開放流量制御バルブ３９によって濃縮器大気開放流路１９を開放した状態とし、逆洗浄の際、この濃縮器大気開放流路１９から濃縮器２に向けて例えばエアを送り出すことによって、濃縮器２内の濾液を濃縮液回収容器１０２又は原液貯留容器１００に回収する工程
を順次実施することができるし、あるいは、これらのうちの２つ乃至３つの工程を同時に進行させることができる。後者のように同時進行させた場合には、逆洗浄に要する時間（あるいは、逆洗浄を実施する際、有用成分たる濃縮液や濾液を回収するのに要する時間）を短縮することが可能となる。
【０１０２】
なお、濾過器１の濾過膜１ｆが例えば中空糸である場合、エアが該中空糸を通過することができないことから、以下の工程とすることが好ましい。すなわち、この場合、第２の濾過器大気開放流路１８は中空糸の外側にある液体を中空糸内側へと押し出すことはできるが、その後、液体をさらに原液貯留容器１００へと押し込むことまではできない。そうすると、第１の濾過器大気開放流路１７を利用した場合しか、液体を原液供給流路１０内で逆流させて原液貯留容器１００で回収することができない。以上を鑑みると、このような腹水濾過濃縮システム２００において(a)〜(c)の工程を順次実施する場合は、工程(b)の後で工程(a)を実施することが好ましい。こうした場合、まず工程(b)によって濾過器１内の濾液（特に、中空糸の外側にある濾液）を原液貯留容器１００に回収し、その後、工程(a)によって濾過器１内の液体（特に、中空糸内に押し出された濾液や、原液）を押し出し、原液貯留容器１００で回収することができる。
【０１０３】
＜第１０の実施形態＞
本発明の第１０の実施形態を以下に示す。
【０１０４】
図１０に示す腹水濾過濃縮システム２００は、第５の実施形態におけるシステムの他、洗浄液廃液流路１５、原液供給流量制御バルブ３０、洗浄液廃液流量制御バルブ３５、濾液流量制御ポンプ４１、圧力測定装置５０、濾液圧力測定装置５１を備え、尚かつ、第５の実施形態における回収流量制御バルブ３２の代わりに回収流量制御ポンプ４２を備えた構成となっている。
【０１０５】
洗浄液廃液流路１５は、濾過器１の原液入口に連通するように構成される流路である。本実施形態の洗浄液廃液流路１５は、原液供給流路１０の途中の分岐点１０ａで分岐し、該分岐点１０ａから重力方向下方に延びるように形成されている。この洗浄液廃液流路１５の途中には、洗浄液廃液流量制御バルブ３５が設けられている。また、原液供給流路１０上であって、分岐点１０ａと原液貯留容器１００との間には、原液供給流量制御バルブ３０が設けられている。
【０１０６】
濾液流量制御ポンプ４１は、濾液流路１１を流れる濾液の流量を制御する濾液流量制御手段として機能する、正逆回転可能なポンプである。本実施形態の濾液流量制御ポンプ４１は、接続点４０と濃縮器２との間に設けられている。なお、本実施形態では、接続点４０から濃縮器２へと液体を送る送り方を濾液流量制御ポンプ４１の順送り、その逆を逆送りと称する。
【０１０７】
回収流量制御ポンプ４２は、濃縮液回収流路１２を流れる濃縮液の流量を制御する回収流量制御手段として機能する、正逆回転可能なポンプである。本実施形態の回収流量制御ポンプ４２は、回収流量制御バルブ３２と同じ位置すなわち濃縮器２と濃縮液回収容器１０２との間に設けられている。本実施形態では、濃縮器２から濃縮液回収容器１０２へと液体を送る送り方を回収流量制御ポンプ４２の順送り、その逆を逆送りと称する。
【０１０８】
なお、これら濾液流量制御ポンプ４１や回収流量制御ポンプ４２としては、ローラーポンプや輸液ポンプなどを利用することができる。また、濾液流量制御ポンプ４１、回収流量制御ポンプ４２の駆動を制御するための制御装置（図示省略）を設けてもよい。制御装置は例えばコンピューターであり、例えばＣＰＵ、メモリ等を有するマイクロコンピュータである。制御装置は、これら濾液流量制御ポンプ４１、回収流量制御ポンプ４２といったポンプ腹水圧送手段や、各制御バルブ、エアポンプなど、各装置の動作を制御して腹水処理や逆洗浄を実行する。制御装置は、例えば予めメモリに記憶されたプログラムを実行して腹水処理や逆洗浄を実施できる。
【０１０９】
圧力測定装置５０は、濾過器１の内部における圧力を測定するセンサを含む装置である。本実施形態の圧力測定装置５０は、濾過器１の濾過器１の二次側出口ポート１ｂに接続されている。
【０１１０】
濾液圧力測定装置５１は、濾液流路１１を流れる濾液の圧力を測定するセンサを含む装置である。濾液流路１１の圧力を測定することによって濃縮器２の濃縮膜２ｆの詰まりを検出することができる。本実施形態の濾液圧力測定装置５１は、濾液流路１１の途中に接続されている。
【０１１１】
続いて、上述した腹水濾過濃縮システム２００における逆洗浄について説明する（図１１〜図１５参照）。
【０１１２】
（濾過時の流れ）
原液を濾過する際には、原液供給流量制御バルブ３０、濾過流量制御バルブ３１、廃液流量制御バルブ３３を開け、洗浄液流量制御バルブ３４、洗浄液廃液流量制御バルブ３５、再循環流量制御バルブ３６を閉じておく。この状態で濾液流量制御ポンプ４１および回収流量制御ポンプ４２を順送りすると、原液を濾過器１で濾過し、さらに濾過後の濾液を濃縮器２で濃縮することができる（図１１参照）。濃縮液は、濃縮液回収容器１０２によって回収される。濃縮器２によって濾液から分離された水分は、廃液流路１３を流れて廃棄される。
【０１１３】
ここで、回収流量制御ポンプ４２における順送り時の液体流量（単位時間あたり）をＡ、濾液流量制御ポンプ４１における順送り時の液体流量（単位時間あたり）をＢとすると、Ａ＜Ｂとして濾過を行うことが好ましい。こうした場合、濾過器１にて濾過を行いながら、同時に濃縮器２にて除水を行うことができ、時間を短縮できる（腹水の性状によるが、濃縮膜２ｆが詰まり難い場合はこの工程だけで濾過濃縮を完了できるが、詰まり易い場合（例えば、濾液圧力測定装置５１による測定圧力が高い場合）はＢ−Ａを小さくし、濃縮工程にて更に濃縮をかけることができる）。このとき、廃液流路１３を流れて廃棄される水分量はＢ−Ａとなる。
【０１１４】
（濃縮時の流れ）
濾液を濃縮する際には、廃液流量制御バルブ３３、再循環流量制御バルブ３６を開け、濾過流量制御バルブ３１、洗浄液流量制御バルブ３４を閉じた状態とする。この状態で濾液流量制御ポンプ４１および回収流量制御ポンプ４２を順送りすると、濾過後の濾液、さらには濃縮後に循環した液体を濃縮器２でさらに濃縮することができる（図１２参照）。濃縮器２によって濾液から分離された水分は、廃液流路１３を流れて廃棄される。
【０１１５】
また、濃縮時には除水するため、Ａ（回収流量制御ポンプ４２における順送り時の液体流量）＜Ｂ（濾液流量制御ポンプ４１における順送り時の液体流量）として濃縮を行う。このとき、廃液流路１３を流れて廃棄される水分量はＢ−Ａとなる。
【０１１６】
（逆洗浄時の流れ（第１ステップ））
逆洗浄をする際には、まず、洗浄液流量制御バルブ３４、再循環流量制御バルブ３６を開け、濾過流量制御バルブ３１、廃液流量制御バルブ３３を閉じた状態とする（図１３参照）。この状態で、濾液流量制御ポンプ４１を逆送りすると、洗浄液貯留容器１０３中の洗浄液が洗浄液供給流路１４を流れて濃縮器２へ供給され、濃縮器２（の濃縮膜２ｆ）を洗浄する。このとき、濾液流路１１内の濾液や、再循環流路１６内の濃縮液は、濾液流路１１から再循環流路１６へと逆流し、濃縮液回収容器１０２に流れ込む。したがって、逆洗浄の際、濾液流路１１内に残存している有用物質（濾液等）、再循環流路１６内に残存している有用物質（濃縮液）を回収することができる。
【０１１７】
（逆洗浄時の流れ（第２ステップ））
その後、洗浄液の流路を切り換え、濃縮器２と濾過器１の両方を同時に逆洗浄する。すなわち、腹水濾過濃縮システム２００において、原液供給流量制御バルブ３０、濾過流量制御バルブ３１、洗浄液流量制御バルブ３４を開け、廃液流量制御バルブ３３、洗浄液廃液流量制御バルブ３５、再循環流量制御バルブ３６を閉じた状態とする（図１４参照）。この状態で濾液流量制御ポンプ４１を逆送りすると、洗浄液貯留容器１０３から供給された洗浄液が濃縮器２（の濃縮膜２ｆ）を逆洗浄し、その後は濾液流路１１を逆流し、濾過器１（の濾過膜１ｆ）を逆洗浄する。このとき、有用物質の一部（濾液流路１１や濾過器１に残存している濾液の一部、原液供給流路１０に残存している原液）は、原液供給流路１０を逆流し、原液貯留容器１００によって回収される。
【０１１８】
（逆洗浄時の流れ（第３ステップ））
原液貯留容器１００によって有用物質を回収した後は、原液供給流量制御バルブ３０を閉じ、洗浄液廃液流量制御バルブ３５を開けることにより、逆洗浄時における分岐点１０ａ以降の流路を洗浄液廃液流路１５へと切り換える（図１５参照）。このように流路を切り換えた後、濾過器１（の濾過膜１ｆ）を逆洗浄した洗浄液は、洗浄液廃液流路１５を流れて廃棄される。
【０１１９】
上述のごとき逆洗浄を実施するかどうかは、以下をトリガーにして判断することができる。すなわち、濾過および濃縮の際、濾過器１に対し、濾液流量制御ポンプ４１は液体を引いている（負圧を作用させて濾液が濃縮器２側へ流れるように引っ張り込んでいる）立場であることから、当該濾過器１（の濾過膜１ｆ）が詰まった場合、圧力測定装置５０の圧力が下がる。また、濃縮器２に対し、濾液流量制御ポンプ４１は液体を押し込んでいる（正圧を作用させて濾液が濃縮器２側へ流れるように押し込んでいる）立場であることから、当該濃縮器２（の濃縮膜２ｆ）が詰まった場合、濾液圧力測定装置５１の圧力が上がる。そこで、圧力測定装置５０の検出圧力値が所定値を下回ったことをトリガーにして、あるいは、濾液圧力測定装置５１の検出圧力値が所定値を超えたことをトリガーにして、逆洗浄を実施すべきタイミングを判断することができる。
【０１２０】
さらに、逆洗浄の際には、上述した圧力値をトリガーにして洗浄の完了を判断することができる。すなわち、濾過器１（の濾過膜１ｆ）の詰まりが解消すれば、圧力測定装置５０の圧力は下がる。また、濃縮器２（の濃縮膜２ｆ）の詰まりが解消すれば、濾液圧力測定装置５１の圧力は上がる（図１５参照）。そこで、圧力測定装置５０の検出圧力値が所定値を下回ったことをトリガーにして、あるいは、濾液圧力測定装置５１の検出圧力値が所定値を超えたことをトリガーにして、逆洗浄の完了タイミングを判断することができる。
【０１２１】
なお、上述の実施形態は本発明の好適な実施の一例ではあるがこれに限定されるものではなく本発明の要旨を逸脱しない範囲において種々変形実施可能である。例えば上述した実施形態では、各流路を流れる液体の流量を制御する手段がバルブである場合について説明したが（例えば、濃縮液回収流路１２に設けられた回収流量制御バルブ３２等）、これは流量制御手段の好適例にすぎない。例を挙げて説明すれば、洗浄液貯留容器１０３内の洗浄液を供給するための圧力は、ポンプを利用して加圧するものであってもよいし、構成間の高低差に基づく圧力差（落差圧）を利用して加圧するものであってもよい。あるいは、流量制御手段は、ローラークランプなどの流路を圧迫し流路抵抗を調整し制御するものでもよいし、一定の陰圧又は陽圧をかけることで各流路の流量を制御するものでもよい。
【０１２２】
また、上述した実施形態では、濾過膜１ｆ、濃縮膜２ｆを構成する中空糸膜の内側に液体が流れ込み、通過した液体が中空糸膜の外側に抜ける態様（内圧濾過方式）について説明したが、細胞成分を濾別し、水分を分離することができれば外圧濾過方式とすることもできるし、外圧濾過方式においても上述した逆洗浄を実施することが可能である。
【産業上の利用可能性】
【０１２３】
本発明は、腹水を濾過及び濃縮するシステムに適用して好適である。
【符号の説明】
【０１２４】
１…濾過器
１ａ…一次側入口ポート（濾過器の原液入口）
１ｃ…二次側出口ポート（濾過器の濾液出口）
１ｄ…一次側出口ポート（大気開放端）
１ｆ…濾過膜
２…濃縮器
２ａ…一次側入口ポート
２ｂ…二次側出口ポート（濃縮器の濾液出口）
２ｄ…一次側出口ポート（濃縮液出口）
２ｆ…濃縮膜
１０…原液供給流路
１０ａ…分岐点
１１…濾液流路
１２…濃縮液回収流路
１３…廃液流路
１４…洗浄液供給流路
１５…洗浄液廃液流路
１６…再循環流路
１７…第１の濾過器大気開放流路
１８…第２の濾過器大気開放流路
１９…濃縮器大気開放流路
３０…原液供給流量制御バルブ（原液供給流量制御手段）
３１…濾過流量制御バルブ（濾過流量制御手段）
３２…回収流量制御バルブ（回収流量制御手段）
３３…廃液流量制御バルブ（廃液流量制御手段）
３４…洗浄液流量制御バルブ（洗浄液流量制御手段）
３５…洗浄液廃液流量制御バルブ（洗浄液廃液流量制御手段）
３６…再循環流量制御バルブ（再循環流量制御手段）
３７…第１の濾過器大気開放流量制御バルブ（第１の濾過器大気開放流量制御手段）
３８…第２の濾過器大気開放流量制御バルブ（第２の濾過器大気開放流量制御手段）
３９…濃縮側大気開放流量制御バルブ（濃縮側大気開放流量制御手段）
４０…濾液流路１１と再循環流路１６との接続点
４１…濾液流量制御ポンプ（濾液流量制御手段）
４２…回収流量制御ポンプ（回収流量制御手段）
５０…圧力測定装置
５１…濾液圧力測定装置
１００…原液貯留容器
１０２…濃縮液回収容器
１０３…洗浄液貯留容器
２００…腹水濾過濃縮システム
【図１】
2015126763.tif 000003
【図２】
2015126763.tif 000004
【図３】
2015126763.tif 000005
【図４】
2015126763.tif 000006
【図５】
2015126763.tif 000007
【図６】
2015126763.tif 000008
【図７】
2015126763.tif 000009
【図８】
2015126763.tif 000010
【図９】
2015126763.tif 000011
【図１０】
2015126763.tif 000012
【図１１】
2015126763.tif 000013
【図１２】
2015126763.tif 000014
【図１３】
2015126763.tif 000015
【図１４】
2015126763.tif 000016
【図１５】
2015126763.tif 000017